(57)【要約】【課題】本発明は、ケーブルを整理することができる蓋を備えるコネクタを提供することを目的とする。【解決手段】本発明に係るコネクタは、メイン部と、前記メイン部の底部に設けられる接続部と、前記メイン部の上部から延出する複数のケーブルと、前記複数のケーブルを整理するための蓋と、を備える。前記蓋は、切断面がＵ字状を呈する収容部を備え、前記収容部の底部にはスロットが設けられ、前記収容部の１つの側端には開口が設けられ、前記蓋は、前記メイン部の上部が前記スロットを通して前記収容部内に配置されるようにして前記メイン部に装着され、前記複数のケーブルは、前記収容部内で前記開口に向かってそれぞれ湾曲し、束になった状態で前記開口から前記蓋の外へ延伸する。【選択図】図１
2013247112.tif 000002
【特許請求の範囲】
【請求項１】
メイン部と、
前記メイン部の底部に設けられた接続部と、
前記メイン部の上部から延出する複数のケーブルと、
前記複数のケーブルを整理するための蓋と、
を備えてなるコネクタであって、
前記蓋は、切断面がＵ字状を呈する収容部を備え、前記収容部の底部にはスロットが設けられ、前記収容部の１つの側端には開口が設けられ、前記蓋は、前記メイン部の上部が前記スロットを通して前記収容部内に配置されるようにして前記メイン部に装着され、前記複数のケーブルは、前記収容部内で前記開口に向かってそれぞれ湾曲し、束になった状態で前記開口から前記蓋の外へ延伸することを特徴とするコネクタ。
【請求項２】
前記収容部は、前記開口と対向する側端には、当止片が設けられていることを特徴とする請求項１に記載のコネクタ。
【請求項３】
前記蓋は、前記メイン部に係止される２つの爪部を備え、前記爪部は、前記収容部の前記開口の両側にあたる箇所から、対向して延伸することを特徴とする請求項１又は２に記載のコネクタ。
【請求項４】
前記メイン部は、前側と後側の上部に、フランジ部がそれぞれ設けられ、前記収容部の両側面の内側には、突起部がそれぞれ突設され、前記突起部は、前記フランジ部の底部にそれぞれ当止されることを特徴とする請求項１から３の何れか一項に記載のコネクタ。
【請求項５】
前記収容部の一側面には、前記スロットと連通する切欠口部が設けられ、前記複数のケーブルのうちの少なくとも一部は前記切欠口部から延伸することを特徴とする請求項１から４の何れか一項に記載のコネクタ。
【発明の詳細な説明】
【技術分野】
【０００１】
本発明は、コネクタに関するものであって、特に複数のケーブルを整理することができる蓋を備えるコネクタに関するものである。
【背景技術】
【０００２】
従来の技術において、サーバー内にある一部のコネクタの上面から延出する複数のケーブルは、整理されずに、サーバー内で乱雑になっていることがある。そのため、サーバーのカバー又は他の電子部品をサーバーに装着する際に複数のケーブルが邪魔となり、さらには、乱雑な複数のケーブルはサーバー全体の放熱にも影響を与える。
【発明の概要】
【発明が解決しようとする課題】
【０００３】
本発明の目的は、前記課題を解決し、複数のケーブルを整理することができる蓋を備えるコネクタを提供することである。
【課題を解決するための手段】
【０００４】
上記目的を達成するために、本発明に係るコネクタは、メイン部と、前記メイン部の底部に設けられた接続部と、前記メイン部の上部から延出する複数のケーブルと、前記複数のケーブルを整理するための蓋と、を備える。前記蓋は、切断面がＵ字状を呈する収容部を備え、前記収容部の底部にはスロットが設けられ、前記収容部の１つの側端には開口が設けられ、前記蓋は、前記メイン部の上部が前記スロットを通して前記収容部内に配置されるようにして前記メイン部に装着され、前記複数のケーブルは、前記収容部内で前記開口に向かってそれぞれ湾曲し、束になった状態で前記開口から前記蓋の外へ延伸する。
【発明の効果】
【０００５】
本発明に係るコネクタは、複数のケーブルを整理できる蓋が設置され、また、この蓋は、開口が設けられているため、複数のケーブルは、前記蓋内に収容された後、束になった状態で前記開口から特定の方向に延伸することができる。
【図面の簡単な説明】
【０００６】
【図１】本発明の第一実施形態に係るコネクタの斜視分解図である。
【図２】図１に示すコネクタの斜視組立図である。
【図３】図２に示すコネクタの別の視角から見た斜視図である。
【図４】本発明の他の実施形態に係るコネクタの斜視組立図である。
【発明を実施するための形態】
【０００７】
図１に示したように、本発明の第一実施形態に係るコネクタは、本体１０と、蓋１１と、を備える。
【０００８】
本体１０は、メイン部１２と、該メイン部１２の底面に設けられた接続部１４と、接続部１４に接続され、且つメイン部１２の上面から延出する複数のケーブル１６と、を備える。メイン部１２の前側の中央部には、１つの突出部１２０が突設されている。メイン部１２の前側と後側の上端からは、１つのフランジ部１２２がそれぞれ突出している。
【０００９】
蓋１１は、切断面がＵ字状を呈する収容部１１０を備える。収容部１１０は、その第一側端に、Ｕ字状を呈する開口１１２が設けられ、開口１１２と相対する第二側端には、Ｕ字状を呈する当止片１１３が設けられている。収容部１１０の底部には、長方形のスロット１１４が設けられ、収容部１１０の両側面の中央部には、前記スロット１１４と連通する１つの切欠口部１１５がそれぞれ設けられている。
【００１０】
蓋１１は、２つの爪部１１７を更に備える。爪部１１７は、収容部１１０の開口１１２の両側面の底部にあたる箇所から、対向してそれぞれ延伸する。収容部１１０の両側面の内側には、スロット１１４に平行して設けられた一列の突起部１１６がそれぞれ突出している。各突起部１１６の底面１１８は、対応する収容部１１０の一側に向けて傾斜する斜面であり、突起部１１６の先端から基端に向かって斜め下向きに傾斜している。
【００１１】
図２に示したように、複数のケーブル１６を整理して束ねるには、複数のケーブル１６をメイン部１２の１つの側端に向けてそれぞれ湾曲させた後、収容部１１０のスロット１１４を通してメイン部１２の上部を収容部１１０内に挿入させるようにして、蓋１１を上から下へメイン部１２に係合させる。この時、突起部１１６の底面１１８が、メイン部１２の対応するフランジ部１２２に当接した後、フランジ部１２２に対して摺動しつつ収容部１１０の両側面が拡幅されることで、突起部１１６がフランジ部１２２を乗り越え、その結果、突起部１１６の頂面は、対応するフランジ部１２２の底面に当止される。このとき、当止片１１３と爪部１１７は、メイン部１２の両側端にそれぞれ係止される。また、メイン部１２の突出部１２０は、蓋１１の１つの切欠口部１１５に係合される。これによって、蓋１１が本体１０に装着される。その結果、複数のケーブル１６は、収容部１１０内で湾曲した状態が維持されたまま、束になった状態で収容部１１０の開口１１２から蓋１１の外へ延伸する。
【００１２】
ケーブル１６の延伸方向を変える場合は、先ず、蓋１１の２つの爪部１１７を、互いに離れる方向に向けて動かし、収容部１１０の両側面を、互いに離れる方向に向けて、弾性変形させる。これによって、突起部１１６は、対応するフランジ部１２２の底面から解放される。次いで、蓋１１を下から上へ移動させて、蓋１１をメイン部１２から取り外した後、複数のケーブル１６をメイン部１２のもう１つの側端に向けて湾曲させて、その後、蓋１１の向きを反対にして再び蓋１１をメイン部１２に装着すれば良い。
【００１３】
図４に示したように、他の実施形態において、切欠口部１１５の大きさを調整し、複数のケーブル１６のうちの一部又は全部を、この切欠口部１１５から延伸させても良い。
【００１４】
以上、本発明を実施形態に基づいて具体的に説明したが、本発明は、上述の実施形態に限定されるものではなく、その要旨を逸脱しない範囲において、種種の変更が可能であることは勿論であって、本発明の技術的範囲は、添付の特許請求の範囲から決まる。
【符号の説明】
【００１５】
１０  本体
１１  蓋
１２  メイン部
１４  接続部
１６  ケーブル
１２０  突出部
１２２  フランジ部
１１０  収容部
１１２  開口
１１３  当止片
１１４  スロット
１１５  切欠口部
１１６  突起部
１１７  爪部
１１８  底面
【図１】
2013247112.tif 000003
【図２】
2013247112.tif 000004
【図３】
2013247112.tif 000005
【図４】
2013247112.tif 000006